(57)【要約】【課題】部品点数を減少するとともに、横方向の寸法が小型なキャッチ装置を提供する。【解決手段】キャッチ装置１０は、横方向Ｘ、縦方向Ｙおよび厚さ方向Ｚと、キーパー４０と、キーパー４０の挿入部４２を一対のボール５１ａ，５１ｂ間において挿抜可能に挟持するキャッチ本体３０とを含む。キャッチ本体３０は、一対のボール５１ａ，５１ｂの離隔寸法を変更可能に支持する。キャッチ本体３０は、一対のボール５１ａ，５１ｂにおける一方のボールの対向周面の反対側の周面に接触する一端部６１ａと、一対のボール５１ａ，５１ｂにおける他方のボールの対向周面の反対側の周面に接触する他端部６１ｂとを有する付勢手段である板バネ６０を有し、１つの板バネ６０の付勢力によって、一対のボール５１ａ，５１ｂが互いに近接する方向へ付勢される。【選択図】図４
2019214890.tif 000002
【特許請求の範囲】
【請求項１】
横方向、縦方向および厚さ方向と、キーパーと、前記キーパーの挿入部を一対のボール間において挿抜可能に挟持するキャッチ本体とを含むキャッチ装置において、
前記キャッチ本体は、前記一対のボールの離隔寸法を変更可能に支持し、
前記キャッチ本体は、前記一対のボールにおける一方のボールの対向周面の反対側の周面に接触する一端部と、前記一対のボールにおける他方のボールの対向周面の反対側の周面に接触する他端部とを有する付勢手段を有し、１つの前記付勢手段の付勢力によって、前記一対のボールが互いに近接する方向へ付勢されることを特徴とするキャッチ装置。
【請求項２】
前記キャッチ本体と前記付勢手段との間には、一対の係合孔と一対の係合爪とを有する係合手段が位置し、
前記係合手段は、前記付勢手段の前記一端部および前記他端部を、前記一対の係合爪にそれぞれ接触させながら、前記一端部と前記他端部とが離れるように前記付勢手段に力を加えて前記係合孔と前記係合爪とを係合させるとき、前記一端部および前記他端部に対して前記係合爪が上り勾配となる傾斜面を有する請求項１に記載のキャッチ装置。
【請求項３】
固定壁と前記固定壁に対する可動壁のいずれか一方である第１壁、および他方である第２壁を有する筐体に前記キャッチ本体および前記キーパーを取り付け、
前記キャッチ本体は、前記一対のボールにおける一方のボールを支持する第１支持部と、前記一対のボールにおける他方のボールを支持する第２支持部とを有する側壁部、および前記第１壁に隣接する天壁部とを有し、
前記天壁部は、前記側壁部で囲まれる内側に、前記キャッチ本体を取り付けるための取付孔を有する請求項１又は２に記載のキャッチ装置。
【請求項４】
前記キャッチ本体における前記側壁部の外周面は、前記付勢手段が嵌る凹状溝を有し、
前記凹状溝に前記係合爪および前記係合孔のいずれか一方が位置し、
前記凹状溝の内部に前記係合爪が位置する請求項２に記載のキャッチ装置。
【発明の詳細な説明】
【技術分野】
【０００１】
本発明は、キャッチ装置に関する。
【背景技術】
【０００２】
従来、横方向、縦方向および厚さ方向と、キーパーと、前記キーパーの挿入部を一対のボール間において挿抜可能に挟持するキャッチ本体とを含むキャッチ装置は公知である（例えば、非特許文献１参照）。
【０００３】
非特許文献１に開示されているキャッチ本体２は、図７に示すように、横方向Ｘ、縦方向Ｙ、および厚さ方向Ｚを有し、横方向Ｘへ延び、内部にそれぞれネジ孔２ｃを有する円筒部２ａを２つ有している。一対の円筒部２ａは、対向する部分に、互いに離れる方向へ従って徐々に内径が大きくなるテーパ部分２ｂを有している。キャッチ本体２は、さらに、一対のボール３ａ，３ｂと、一対の圧縮コイルバネ４ａ，４ｂと、一対のネジ込みキャップ５ａ，５ｂとを有している。
【０００４】
テーパ部分２ｂには、ボール３ａ，３ｂを配置してあり、円筒部２ａの互いに対向する部分における内径の大きさは、ボールの互いに対向する内周面が露出するとともに、テーパ部分２ｂからボール３ａ，３ｂが外れないように、ボールの直径よりも小さく設定してある。
【０００５】
ネジ込みキャップ５ａ，５ｂの外周面は、円筒部２ａの内部のネジ孔２ｃに螺合するネジ孔５ｃを有し、ボール３ａ，３ｂとネジ込みキャップ５ａ，５ｂとの間に圧縮コイルバネ４ａ，４ｂを配置した後、ネジ込みキャップ５ａ，５ｂのネジ孔５ｃと、円筒部２ａのネジ孔２ｃとを螺合し、圧縮コイルバネ５ａ，５ｂの付勢力によって、一対のボール３ａ，３ｂが互いに近接するように付勢している。
【先行技術文献】
【非特許文献】
【０００６】
【非特許文献１】″ステンレス  ボールキャッチ″、［online］、ＴＡＫＩＧＥＮ  デジタルカタログ、［平成３０年５月２９日］、インターネット<https://www.takigen.co.jp/jp/contents/eyesearch/detail.do?name=23531>
【発明の概要】
【発明が解決しようとする課題】
【０００７】
しかしながら、非特許文献１に開示されているキャッチ装置では、キャッチ本体２が、一対のボール３ａ，３ｂと、一対の圧縮コイルバネ４ａ，４ｂと、一対のネジ込みキャップ５ａ，５ｂを備えるため、部品点数が多くなり、組立に手間がかかる問題があった。加えて、一対の圧縮コイルバネ４ａ，４ｂの長手方向とキャッチ本体２の長手方向（共に横方向Ｘ）とが一致するように、キャッチ本体２に対して圧縮コイルバネ３ａ，３ｂを配置するため、キャッチ本体２が横方向Ｘへ大型化する問題があった。
【０００８】
本発明が課題とするところは、部品点数を減少するとともに、横方向の寸法が小型なキャッチ装置を提供することにある。
【課題を解決するための手段】
【０００９】
前記課題を解決するため、本発明は、横方向、縦方向および厚さ方向と、キーパーと、前記キーパーの挿入部を一対のボール間において挿抜可能に挟持するキャッチ本体とを含むキャッチ装置において、前記キャッチ本体は、前記一対のボールの離隔寸法を変更可能に支持し、前記キャッチ本体は、前記一対のボールにおける一方のボールの対向周面の反対側の周面に接触する一端部と、前記一対のボールにおける他方のボールの対向周面の反対側の周面に接触する他端部とを有する付勢手段を有し、１つの前記付勢手段の付勢力によって、前記一対のボールが互いに近接する方向へ付勢されることを特徴とする。
【発明の効果】
【００１０】
本発明に係るキャッチ装置によれば、キャッチ本体は、一対のボールにおける一方のボールの対向周面の反対側の周面に接触する一端部と、一対のボールにおける他方のボールの対向周面の反対側の周面に接触する他端部とを有する付勢手段を有し、１つの付勢手段の付勢力によって、一対のボールが互いに近接する方向へ付勢されるため、部品点数を減少することができるとともに、横方向の寸法を小型にすることができる。
【図面の簡単な説明】
【００１１】
図面は、本開示に係る本発明の特定の実施の形態を示し、発明の不可欠な構成ばかりでなく、選択的及び好ましい実施の形態を含む。
【図１】（ａ）本発明に係るキャッチ装置を使用する筐体の本体を示す斜視図。（ｂ）キャッチ装置を使用する筐体の扉を示す斜視図。
【図２】キャッチ装置の正面図（キーパーの挿入部が一対のボールの間から外れた状態を示す正面図。）
【図３】キャッチ装置のキャッチ本体の斜視図。
【図４】図３の矢視ＩＶ−ＩＶの断面図。
【図５】キャッチ装置の分解斜視図。
【図６】キーパーの挿入部が一対のボールの間に位置する状態を示す説明図。
【図７】従来のキャッチ装置の分解斜視図。
【発明を実施するための形態】
【００１２】
添付の図面を参照し、本発明に係るキャッチ装置の詳細を説明すると、以下のとおりである。また、以下の実施形態は、本発明の欠くことのできない要件を含む他に、選択的に採用することのできる要件及び適宜に組み合わせることのできる要件を含んでいる。
【００１３】
＜第１実施形態＞
図１は、本発明に係るキャッチ装置１０を取り付けた筐体２０の斜視図である。筐体２０は、図１に示すように、固定壁である本体２１と、可動壁である扉２２と、本体２１と扉２２との間に配置し、本体２１に対して扉２２を開閉可能に支持する不図示の蝶番とを有している。キャッチ装置１０は、互いに交差（直交）する横方向Ｘ、縦方向Ｙおよび厚さ方向Ｚを有している。
【００１４】
本体２１には、キャッチ装置１０のキャッチ本体３０を取り付けてある。扉２２には、キャッチ装置１０のキーパー４０を取り付けてある。なお、図示省略するが、本体２１にキーパー４０を取り付ける一方、扉２２にキャッチ本体３０を取り付けてもよい。すなわち、固定壁および可動壁のうちの一方である第１壁に本体２１を取り付け、他方である第２壁にキーパー４０を取り付けてある。
【００１５】
キーパー４０は、図２に示すように、扉２２に隣接するキーパー本体４１と、キーパー本体４１から扉２２に対して離れる方向へ延び、キャッチ本体３０の一対のボール５１ａ，５１ｂの間を挿抜する挿入部４２とを有する。挿入部４２は、キーパー本体４１に隣接する基端部分４２ｂの横方向Ｘの寸法が小さい一方、キーパー本体４１から離れた先端部分４２ａの横方向Ｘの寸法が大きい。
【００１６】
キーパー本体４１は、挿入部４２の横方向Ｘにおける両側に貫通孔４３ａ，４３ｂを有し、これらの貫通孔４３ａ，４３ｂに先端を通したネジ４４ａ，４４ｂを、扉２２のネジ孔に螺合させることによって、扉２２にキーパー４０を取り付けてある。
【００１７】
キャッチ本体３０は、本体２１に隣接する板状の天壁部３１と、天壁部３１から本体２１に対して離れる方向へ延びる側壁部３２とを有している。
【００１８】
天壁部３１は、側壁部３２で囲まれる内側に、キャッチ本体３０を本体２１に取り付けるための貫通孔（取付孔）３０ａ，３０ｂを例えば２つ有し、これらの貫通孔３０ａ，３０ｂに先端を通したネジ３６ａ，３６ｂを、本体２１のネジ孔（不図示）に螺合させることによって、本体２１にキャッチ本体３０を取り付けてある。
【００１９】
側壁部３２は、一方の端部に、一対のボール５１ａ，５１ｂにおける一方のボールを支持する第１支持部３２ａを有し、他方の端部に、一対のボール５１ａ，５１ｂにおける他方のボールを支持する第２支持部３２ｂを有し、第１支持部３２ａと第２支持部３２ｂとの間には、第１支持部３２ａと第２支持部３２ｂとを連結する連結部３２ｃとを有している。第１支持部３２ａと第２支持部３２ｂとの間には、開口３３が位置し、縦方向Ｙにおいて、連結部３２ｃは、開口３３の反対側に位置している。
【００２０】
側壁部３２は、第１支持部３２ａと第２支持部３２ｂとの間に開口３３を有するように、厚さ方向Ｚにおける一方から視た場合（下方から上方を視た場合）、略Ｕ字状となるように形成してある。
【００２１】
第１支持部３２ａおよび第２支持部３２ｂは、一対のボール５１ａ，５１ｂの離隔寸法を変更可能に支持する。具体的には、第１支持部３２ａおよび第２支持部３２ｂは、外周側に外側開口３４ａが位置し、内周側に内側開口３４ｂを有するボール収容孔３４を有している。外側開口３４ａの直径は、ボール５１ａ，５１ｂの直径よりも大きく、外側開口３４ａからボール５１ａ，５１ｂを入れることが可能である一方、内側開口３４ｂの直径は、ボール５１ａ，５１ｂの直径よりも小さく内側開口３４ｂからはボール５１ａ，５１ｂの一部が露出可能であるが、外側開口３４ｂを通じてボール収容孔３４からボール５１ａ，５１ｂが抜け出ることを防止している。
【００２２】
側壁部３２の外周面は、付勢手段である板バネ６０が嵌る凹状溝３５を有している。板バネ６０は、例えば、熱可塑性合成樹脂または金属によって弾性変形が可能に形成してある。板バネ６０は、厚さ方向Ｚにおける一方（下方から上方）または他方（上方から下方）を視た場合、略Ｕ字状に連続し、第１支持部３２ａに対向する一端部６１ａと、第２支持部３２ｂに対向する他端部６１ｂとを有している。
【００２３】
キャッチ本体３０と板バネ６０との間には、一対の係合孔７２ａ，７２ｂと一対の係合爪７１ａ，７１ｂとを有する係合手段７０ａ，７０ｂが位置している。係合手段７０ａ，７０ｂは、板バネ６０の一端部６１ａおよび他端部６１ｂを、一対の係合爪７１ａ，７１ｂにそれぞれ接触させながら、一端部６１ａと他端部６１ｂとが離れるように板バネ６０に力を加えて係合孔７２ａ，７２ｂと係合爪７１ａ，７１ｂとを係合させるとき、一端部６１ａおよび他端部６１ｂに対して係合爪７１ａ，７１ｂが上り勾配となる傾斜面７３ａ，７３ｂを有している。
【００２４】
係合手段７０ａ，７０ｂによってキャッチ本体３０に板バネ６０が取り付けられた状態では、板バネ６０の一端部６１ａは、一対のボール５１ａ，５１ｂにおける一方のボール５１ａの対向周面の反対側の周面に接触する。板バネ６０の他端部６１ｂは、一対のボール５１ａ，５１ｂにおける他方のボール５１ｂの対向周面の反対側の周面に接触する。板バネ６０の付勢力によって、一対のボール５１ａ，５１ｂが互いに近接する方向へ付勢される。また、この取付状態では、キャッチ本体３０の凹状溝３５に板バネ６０が嵌り、板バネ６０が、キャッチ本体３０の外周面から突出することはなく、キャッチ本体３０の外周面に沿った湾曲状を有する。
【００２５】
図２に示すように、キーパー４０の挿入部４２が一対のボール５１ａ，５１ｂの間から外れたときには、本体２１に対して扉２２の移動が許容される一方、図６に示すように、キーパー４０の挿入部４２が一対のボール５１ａ，５１ｂの間に位置するときには、本体２１に対して扉２２の移動が規制される。
【００２６】
このキャッチ装置１０によれば、キャッチ本体３０は、一対のボール５１ａ，５１ｂにおける一方のボールの対向周面の反対側の周面に接触する一端部６１ａと、一対のボール５１ａ，５１ｂにおける他方のボールの対向周面の反対側の周面に接触する他端部６１ｂとを有する板バネ６０を有し、１つの板バネ６０の付勢力によって、一対のボール５１ａ，５１ｂが互いに近接する方向へ付勢されるため、部品点数を減少することができるとともに、横方向Ｘの寸法を小型にすることができる。
【００２７】
加えて、キャッチ本体３０と板バネ６０との間には、一対の係合孔７２ａ，７２ｂと一対の係合爪７１ａ，７１ｂとを有する係合手段７０ａ，７０ｂが位置し、係合手段７０ａ，７０ｂは、板バネ６０の一端部６１ａおよび他端部６１ｂを、一対の係合爪７１ａ，７１ｂにそれぞれ接触させながら、一端部６１ａと他端部６１ｂとが離れるように板バネ６０に力を加えて係合孔７２ａ，７２ｂと係合爪７１ａ，７１ｂとを係合させるとき、一端部６１ａおよび他端部６１ｂに対して係合爪７１ａ，７１ｂが上り勾配となる傾斜面７３ａ，７３ｂを有する。このため、組立時には、係合爪７１ａ，７１ｂの傾斜面７３ａ，７３ｂに一端部６１ａおよび他端部６１ｂを接触させながら、一端部６１ａと他端部６１ｂとが離れるように板バネ６０に力を加えて係合孔７２ａ，７２ｂと係合爪７１ａ，７１ｂとを係合させるため、容易に係合孔７２ａ，７２ｂと係合爪７１ａ，７１ｂとを係合させることができる。分解時には、一端部６１ａと他端部６１ｂとが離れるように板バネ６０に力を加えて、係合孔７２ａ，７２ｂが傾斜面７３ａ，７３ｂを乗り越えさせなければならないため、小さい力によってキャッチ本体３０から板バネ６０が外れることを防止することができる。
【００２８】
さらに、キャッチ本体３０は、一対のボール５１ａ，５１ｂにおける一方のボールを支持する第１支持部３２ａと、一対のボール５１ａ，５１ｂにおける他方のボールを支持する第２支持部３２ｂとを有する側壁部３２、および第１壁に隣接する天壁部３１とを有し、天壁部３１は、側壁部３２で囲まれる内側に、キャッチ本体３０を取り付けるための取付孔を有するため、キャッチ本体３０を小型にすることができる。
【００２９】
加えて、キャッチ本体３０における側壁部３２の外周面は、板バネ６０が嵌る凹状溝３５を有し、凹状溝３５に係合爪７１ａ，７１ｂが位置するとともに、凹状溝３５の内部に係合爪７１ａ，７１ｂが位置し、側壁部３２の外周面から係合爪７１ａ，７１ｂが突出しない。このため、係合爪７１ａ，７１ｂが筐体２０の内部の異物に当たるのを防止し、係合爪７１ａ，７１ｂが破損するのを防止することができる。また、キャッチ本体３０に板バネ６０を取り付けた状態では、板バネ６０および係合爪７１ａ，７１ｂが、キャッチ本体３０の外周面から突出することがないため、本体２１および扉２２もいずれか一方に、キャッチ本体３０が嵌る凹部を形成し、その凹部にキャッチ本体３０を取り付けてもよい。
【００３０】
また、非特許文献１に開示されているキャッチ装置では、図７に示すように、キャッチ本体２に対するネジ込みキャップの位置によって、挿入部に対する一対のボール５１ａ，５１ｂ間の挟持力が変化して、挿入部に対する一対のボール５１ａ，５１ｂ間の挟持力が一定にならない課題があった。しかしながら、本発明に係るキャップ装置では、板バネ６０で挿入部に対する一対のボール５１ａ，５１ｂ間の挟持力を設定できるため、挿入部に対する一対のボール５１ａ，５１ｂ間の挟持力を一定にすることができる。しかも、板バネ６０の板厚を変更すれば、挿入部に対する一対のボール５１ａ，５１ｂ間の挟持力を変更することもできる。
【００３１】
なお、上述した実施形態には、キャッチ本体３０が係合爪７１ａ，７１ｂを有し、板バネ６０が係合孔７２ａ，７２ｂを有するものを説明した。しかし、この発明はそれに限られず、キャッチ本体３０が有底の係合孔７２ａ，７２ｂを有する一方、板バネ６０が係合爪７１ａ，７１ｂを有してもよい。
【００３２】
これまでに説明した本発明は、少なくとも以下のように整理することができる。
横方向Ｘ、縦方向Ｙおよび厚さ方向Ｚと、キーパー４０と、キーパー４０の挿入部４２を一対のボール５１ａ，５１ｂ間において挿抜可能に挟持するキャッチ本体３０とを含むキャッチ装置１０において、キャッチ本体３０は、一対のボール５１ａ，５１ｂの離隔寸法を変更可能に支持し、キャッチ本体３０は、一対のボール５１ａ，５１ｂにおける一方のボールの対向周面の反対側の周面に接触する一端部６１ａと、一対のボール５１ａ，５１ｂにおける他方のボールの対向周面の反対側の周面に接触する他端部６１ｂとを有する付勢手段である板バネ６０を有し、１つの板バネ６０の付勢力によって、一対のボール５１ａ，５１ｂが互いに近接する方向へ付勢されることを特徴とする。
【００３３】
また、本発明には、少なくとも以下の実施態様がある。
（１）キャッチ本体３０と付勢手段である板バネ６０との間には、一対の係合孔７２ａ，７２ｂと一対の係合爪７１ａ，７１ｂとを有する係合手段７０ａ，７０ｂが位置し、係合手段７０ａ，７０ｂは、板バネ６０の一端部６１ａおよび他端部６１ｂを、一対の係合爪７１ａ，７１ｂにそれぞれ接触させながら、一端部６１ａと他端部６１ｂとが離れるように板バネ６０に力を加えて係合孔７２ａ，７２ｂと係合爪７１ａ，７１ｂとを係合させるとき、一端部６１ａおよび他端部６１ｂに対して係合爪７１ａ，７１ｂが上り勾配となる傾斜面７３ａ，７３ｂを有する。
（２）固定壁と固定壁に対する可動壁のいずれか一方である第１壁、および他方である第２壁を有する筐体に前記キャッチ本体および前記キーパーを取り付け、キャッチ本体３０は、一対のボール５１ａ，５１ｂにおける一方のボールを支持する第１支持部３２ａと、一対のボール５１ａ，５１ｂにおける他方のボールを支持する第２支持部３２ｂとを有する側壁部３２、および第１壁に隣接する天壁部３１とを有し、天壁部３１は、側壁部３２で囲まれる内側に、キャッチ本体３０を取り付けるための取付孔３０ａ，３０ｂを有する。
（３）キャッチ本体３０における側壁部３２の外周面は、付勢手段である板バネ６０が嵌る凹状溝３５を有し、凹状溝３５に係合爪７１ａ，７１ｂおよび係合孔７２ａ，７２ｂのいずれか一方が位置し、凹状溝３５の内部に係合爪７１ａ，７１ｂが位置する。
（４）キャッチ装置１０は、キーパー４０の挿入部４２が一対のボール５１ａ，５１ｂの間から外れたときには、本体２１に対して扉２２の移動が許容される一方、キーパー４０の挿入部４２が一対のボール５１ａ，５１ｂの間に位置するときには、本体２１に対して扉２２の移動が規制される。
【符号の説明】
【００３４】
１０    キャッチ装置
２０    筐体
２１    本体（固定壁）
２２    扉（可動壁）
３０    キャッチ本体
３０ａ  貫通孔（取付孔）
３０ｂ  貫通孔（取付孔）
３１    天壁部
３２    側壁部
３２ａ  第１支持部
３２ｂ  第２支持部
３５    凹状溝
４０    キーパー
４２    挿入部
５１ａ  ボール
５１ｂ  ボール
６０    板バネ（付勢手段）
６１ａ  一端部
６１ｂ  他端部
７０ａ  係合手段
７０ｂ  係合手段
７１ａ  係合爪
７１ｂ  係合爪
７２ａ  係合孔
７２ｂ  係合孔
７３ａ  傾斜面
７３ｂ  傾斜面
Ｘ      横方向
Ｙ      縦方向
Ｚ      厚さ方向
【図１】
2019214890.tif 000003
【図２】
2019214890.tif 000004
【図３】
2019214890.tif 000005
【図４】
2019214890.tif 000006
【図５】
2019214890.tif 000007
【図６】
2019214890.tif 000008
【図７】
2019214890.tif 000009